(57)【特許請求の範囲】
【請求項１】
鉄筋コンクリート躯体の表面に外装タイルを固着させる際に外装タイルの剥落を防止するタイルの剥落防止具であって、
所定長さと幅を有する弾性板材の中央部分を折り曲げた折曲部と、当該折曲部の両側に形成される２つの脚部とを有し、前記折曲部に窪み部が設けられた略Ｍ字形状の本体部と、
前記脚部の先端を互いに離反する方向に略直角に折り曲げて形成した爪部と、を備え、
前記爪部の前記脚部から突出する方向に沿って、且つ、前記爪部の幅方向の中央部分に上面が曲面を描くように膨出して形成された膨出部を設けており、
前記脚部の先端から前記窪み部までの屋内方向への距離は所定のかぶり厚以上であることを特徴とするタイルの剥落防止具。
【請求項２】
前記２つの脚部は、それぞれ相対向する内側へ突出したリブを形成したものであることを特徴とする請求項１に記載のタイル剥落防止具。
【請求項３】
前記爪部の先端にアールを形成したことを特徴とする請求項１又は請求項２に記載のタイル剥落防止具。
【発明の詳細な説明】
【技術分野】
【０００１】
本発明は外装タイル裏面の裏あしに係止され、躯体コンクリートに埋設されて当該躯体コンクリートに外装タイルを固着するタイル剥落防止具に関する。
【背景技術】
【０００２】
従来より、外装タイル裏面に裏あしと呼ばれる凹凸又はリブが設けられており、特にセメントモルタルの接着性を高めるために先端が幅広で根元が先端よりも幅の狭い断面台形に形成されたあり状の裏あしが知られている（非特許文献１）。しかし、このようなあり状の裏あしを有したタイルであっても経年劣化により剥落する虞があり、特に高層建築物の外壁に用いられる外装タイルの剥落は極めて危険であるので問題であった。
【０００３】
そこで、外装タイルにさらにアンカー材を取付けて、このアンカー材を躯体コンクリート内に埋設することにより、外装タイルと躯体コンクリートとの接合強度を高める技術が種々提案されている（特許文献１）。このようなアンカー材の一種として、例えば、図１２に示すように、両端があり溝１０２に挿入される一対の挿入部１０３を構成し、中央部分１０４を円環状に撓ませた状態で、挿入部１０３をあり溝１０２に挿入することで、一対の挿入部１０３が離反方向に広がることによりあり溝１０２に押し付けられて固定されるタイル保持部材１０１が提案されている（特許文献２、３）。
【先行技術文献】
【特許文献】
【０００４】
【非特許文献１】日本工業規格  ＪＩＳＡ５２０９：２００８
【特許文献１】特開平６−２４０７６８
【特許文献２】実開平6−１７２９８
【特許文献３】特開平９−７８７９３
【発明の概要】
【発明が解決しようとする課題】
【０００５】
しかし、上述のようなタイル保持部材１０１は、あり溝１０２の傾斜する側壁１０５に一点で接触するだけであるので、例えばコンクリートの打設の際などに、タイル保持部材１０１又は外装タイルに圧力が加わった場合には、十分にその圧力を受けることができずタイル保持部材１０１の挿入部１０３が滑って、あり溝１０２から挿入部１０３が外れる虞がある。
【０００６】
そこで、本発明は、外装タイルに確実に係止することができ、外装タイルから離反する方向に力が加わったとしても外装タイルの裏足から外れることを抑制することができるタイル剥落防止具を提供することを目的とする。
【課題を解決するための手段】
【０００７】
請求項１に記載のタイル剥落防止具は鉄筋コンクリート躯体の表面に外装タイルを固着させる際に外装タイルの剥落を防止するタイルの剥落防止具であって、所定長さと幅を有する弾性板材の中央部分を折り曲げた折曲部と、当該折曲部の両側に形成される２つの脚部とを有し、前記折曲部に窪み部が設けられた略Ｍ字形状の本体部と、前記脚部の先端を互いに離反する方向に略直角に折り曲げて形成した爪部と、を備え、前記爪部の前記脚部から突出する方向に沿って、且つ、前記爪部の幅方向の中央部分に上面が曲面を描くように膨出して形成された膨出部を設けており、前記脚部の先端から前記窪み部までの屋内方向への距離は所定のかぶり厚以上であることを特徴としている。
【００１０】
請求項２に記載のタイル剥落防止具は、前記２つの脚部は、それぞれ相対向する内側へ突出したリブを形成したものであることを特徴としている。
【００１１】
請求項３に記載のタイル剥落防止具は、前記爪部の先端にアールを形成したことを特徴としている。
【発明の効果】
【００１２】
タイル剥落防止具は、弾性板材の中央を折り曲げて２つの脚部を形成しており、この２つの脚部に対して接近方向に力を加えると、本体の折り曲がった部分が弾性変形することにより２つの脚部の先端側が接近する。このとき弾性応力により２つの脚部は離反方向に付勢されており、脚部を折り曲げて形成された爪部もまた互いに離反する方向に付勢されている。したがって、裏面に係止溝が設けられるとともに当該溝の開口側の両縁から係止溝の底面と平行に互いに接近する方向に突出する鍔部が形成された外装タイルに固定する場合に、爪部がそれぞれ係止溝の底面と鍔部との間のスリット空間に挿入方向に付勢された状態で挿入されるので、タイル剥落防止具が確実に外装タイルに係止される。特に爪部に膨出部が形成されているので、この膨出部が鍔部に当接することで、ガタつきなく係止することができ、コンクリートを打設したとき及び打設したコンクリートを養生して硬化した後に、タイル剥落防止具に対して外装タイルから離反する方向に力が加わっても外装タイルから外れることを防止できる。
【００１３】
さらに、請求項１に記載のタイル剥落防止具によると、中央に窪み部が設けられた略Ｍ字形状であるので、外装タイルに係止した場合に外装タイルから窪み部までの距離を所定のかぶり厚以上に設計することで、プレキャスト工法で外壁を生産する場合に、外装タイルを型枠の床面に並べて設置し、タイル剥落防止具を係止した上で、このタイル剥落防止具の窪み部に鉄筋を配設し、その上からコンクリートを打設することにより、容易に所定かぶり厚すなわち外装タイルから鉄筋までの距離を確保した鉄筋コンクリートを打設することができる。
【００１４】
そしてさらに、請求項１に記載のタイル剥落防止具によると、前記膨出部が、前記爪部の前記脚部から突出する方向で、且つ、前記爪部の幅方向の中央部分に上面が曲面を描くように膨出して形成されたものであるので、外装タイルの裏面に形成された係止溝の底面と鍔部との間のスリット空間に爪部を挿入する際に、爪部の突出方向が係止溝の長手方向と平行になるように、脚部の先端及び爪部を係止溝に挿入し、その後、タイル剥落防止具を回転させて、爪部を鍔部と底面との間のスリット空間に挿入することができるので、爪部の先端の隅がまずスリット空間に挿入されることになり、爪部の先端の角をスリット空間よりも薄く形成することで容易にこのスリット空間内に爪部を挿入することができ、また、膨出部の上面が曲面を描くように膨出していることによりスリット空間内に挿入される際に摩擦が少なく、且つ、スリット空間内に押し込まれるので、ガタつきなく固定できる。
【００１５】
請求項２に記載のタイル剥落防止構具によると、一対の脚部には、互いに対向する面が膨らむように１又は複数のリブがその長手方向に沿って形成されているので脚部が補強されており、これらのリブは脚部の互いに対向する面、すなわち外装タイルの係止溝の鍔部に当接しない側の面に形成されているので、鍔部とリブが互いに干渉してタイル剥落防止具の係止強度が低下する虞もない。
【００１６】
請求項３に記載のタイル剥落防止具によると、爪部の先端がアールを形成しているので、タイル剥落防止具を回転させてスリット空間内に爪部を挿入する際に、角が引っ掛かるなどの問題が生じることなく、爪部を回転させることができる。
【図面の簡単な説明】
【００１７】
【図１】タイル剥落防止具の外観構成を説明する全体斜視図。
【図２】タイル剥落防止具を説明する側面図及びリブが複数設けられたタイル剥落防止具を説明する側面図。
【図３】（ａ）はタイル剥落防止具の正面図であり、（ｂ）はタイル剥落防止具の側面図であり、（ｃ）は外装タイルの側面図であって、タイル剥落防止具及び外装タイルの係止溝の寸法を説明する図。
【図４】外装タイルにタイル剥落防止具を係止する工程を説明する斜視図であって、（ａ）は、タイル剥落防止具の脚部の先端及び爪部を外装タイルの係止溝に挿入した図、（ｂ）は、タイル剥落防止具を回転させて爪部をスリット空間に挿入した図。
【図５】係止溝のスリット空間にタイル剥落防止具の爪部が挿入された状態を示す側面図及び一部省略拡大図。
【図６】係止溝のスリット空間にタイル剥落防止具の爪部を挿入する途中の状態を示す側面図及び一部省略拡大図。
【図７】図５のＡ−Ａ拡大断面図。
【図８】タイル剥落防止具を係止した外装タイルを型枠の底に敷き詰めた後、網状の鉄筋を上から載置する状態を説明する斜視図。
【図９】外装タイル剥落防止具を係止した外装タイル上に鉄筋を載置した状態を説明する断面図。
【図１０】型枠内にコンクリートを打設した状態を示す省略断面図。
【図１１】コンクリートを打設した後養生し、コンクリート外壁を形成した状態を示す図。
【図１２】従来のタイル保持部材を説明する図。
【発明を実施するための形態】
【００１８】
以下、本発明のタイル剥落防止具１の最良の実施形態について、各図を参照しつつ説明する。タイル剥落防止具１は、建築物のコンクリート外壁の化粧材として用いられる外装タイル２が剥落することを防止するために外装タイル２の裏面に係止される耐腐食性に優れた所定長さと幅を有するステンレス板金をプレス加工して形成された金具である。
【００１９】
このタイル剥落防止具１は、図１及び図２に示すように、所定長さと幅を有するステンレス板金の中央部を折り曲げて、折曲部３２、及びこの折曲部３２の両側に一対の脚部３１を有する本体部３０と、一対の脚部３１の先端に互いに離反する方向に向かって突出する爪部３３とを有している。一対の脚部３１にはそれぞれ外側を凹ませて、内側を膨らませるようにエンボス加工を施すことにより、当該脚部の長手方向と平行に一対の脚部３１の対向する面にリブ３４を形成している。これらのリブ３４により脚部３１はその剛性を高めており、外力によってこの脚部３１が容易に変形することを抑制している。そして、これら脚部３１をつなぐ折曲部３２は湾曲してその中央が凹んだ窪み部３５を形成しており、側面視Ｍ字状に形成されている。爪部３３はその突出方向に沿うように、折曲部３２が形成された側すなわち図１において上方に向かって膨らむ膨出部３６を形成している。また、この爪部３３の先端の両隅にはアール３３ａが形成されている。なお、一対の脚部３１に形成されたリブ３４は、図２（ｂ）に示すように、脚部３１毎に１本に限定されるものではなく強度を高めるために２本以上形成されていてもよい。
【００２０】
このタイル剥落防止具１の使用について説明すると、タイル剥落防止具１は、裏面に係止溝６が形成された外装タイル２に係止される。外装タイル２は、図３及び図４に示すように、例えば全体が長方形の平板状に形成されており、その裏面には、底面６１と、当該底面６１の両側縁から略直角に立上がる一対の側壁６２と、当該側壁６２の底面６１と逆の端縁に互いに接近する方向に向かって突出して形成された鍔部６３と、を有する係止溝６が設けられている。鍔部６３と係止溝６の底面６１との間には細いスリット空間６４が形成されている。
【００２１】
タイル剥落防止具１及び当該タイル剥落防止具１を係止する係止溝６の寸法は、たとえば本実施形態においては、タイル剥落防止具１が弾性変形していない状態のとき、タイル剥落防止具１の一方の爪部３３の先端から他方の爪部３３の先端までの距離ａが４３ｍｍであって、一方の脚部３１の先端から他方の脚部３１の先端までの距離ｂが３６ｍｍである。また、外装タイル２の一方の鍔部６３の先端から他方の鍔部６３の先端までの距離ｃが３０ｍｍである。また、外装タイル２の鍔部６３の係止溝６の底面６１と対向する面から底面６１までの距離すなわちスリット空間６４の高さｅは１．５ｍｍであって、タイル剥落防止具１の爪部３３の膨出部３６と反対側の面から膨出部３６の最も高い位置までの距離ｄもまた１．５ｍｍである。そして、タイル剥落防止具１の幅ｇは例えば１５ｍｍである。また、タイル剥落防止具１を外装タイル２に係止したときに、外装タイル２の係止溝６の底面６１から窪み部３５までの距離ｆは３０ｍｍである。
【００２２】
上述の各寸法は、タイル剥落防止具１の材料の強度、建築物の外壁の意匠性や設計及び施工上の都合などに応じて適宜選択することができるが、少なくとも、タイル剥落防止具１を確実に外装タイル２の係止溝６に係止するために弾性応力を活かせるので「ｂ≧ｃ」が好ましい。また、スリット空間６４にタイル剥落防止具１の爪部３３がガタつきなく固定されるために「ｅ≒ｄ」が好ましい。そして、内部に鉄筋５を埋設してコンクリートを打設する際に、鉄筋５が所望のかぶり厚以上内側に配置されるために、「ｆ≧カブリ厚」であることが好ましい。さらに、タイル剥落防止具１を係止溝６に挿入する際の作業を容易にするために「ｇ＜ｃ」であることが好ましい。
【００２３】
タイル剥落防止具１を外装タイル２に係止するときには、まず、図示しない作業者がタイル剥落防止具１の一対の脚部３１を挟持して、一方の脚部３１の先端から他方の脚部３１の先端までの距離が、外装タイル２の一方の鍔部６３の先端から他方の鍔部６３の先端までの距離ｃよりも短くなるように折曲部３２を弾性変形させる。そして、弾性変形した状態を保持したまま、図４（ａ）に示すように、一対の爪部３３の突出方向が外装タイル２の係止溝６の長手方向と平行になるように、外装タイル２の係止溝６にタイル剥落防止具１の脚部３１の先端及び爪部３３を挿入する。そして、図６に示すように、タイル剥落防止具１を底面６１上で回転させて、爪部３３を鍔部６３と底面６１との間のスリット空間６４に挿入する。このように回転させながら爪部３３をスリット空間６４に挿入すると、爪部３３の側方側からスリット空間６４に挿入されることになる。図６（ｂ）に示すように、爪部３３の側方側はスリット空間６４よりも薄く形成されているため容易にこのスリット空間６４内に爪部３３を挿入することができる。爪部３３の先端にアール３３ａが形成されているので、爪部３３の先端の角が引っ掛かる虞もない。そして、さらに、タイル剥落防止具１を回転させて、図１０（ｂ）に示すように、タイル剥落防止具１を約９０度回転させる。このとき、一対の爪部３３の膨出部３６の上面が曲面を描くように膨出しているので、膨出部３６と、この膨出部に当接する鍔部６３の面との滑りがよくなって挿入しやすい。そして、爪部３３は、外装タイル２の一対の鍔部６３と底面６１との間に形成されたスリット空間６４内に完全に挿入される。
【００２４】
図３及び図７に示すように、外装タイル２の鍔部６３から外装タイル２の裏面までの距離すなわちスリット空間６４の幅ｅ、及びタイル剥落防止具１の爪部３３の膨出部３６と反対側の面から膨出部３６の最も高い位置までの距離ｄはともに１．５ｍｍであるので、スリット空間６４に挿入させた爪部３３はほとんどガタつくことがない。なお、仮に若干の寸法誤差からスリット空間６４の高さｅよりもタイル剥落防止具１の爪部３３の膨出部３６と反対側の面から膨出部３６の最も高い位置までの距離ｄの方が僅かに長かったとしても、タイル剥落防止具１は弾性を有するステンレスにより形成されているので、膨出部３６の形状が若干弾性変形することにより、スリット空間６４内に爪部３３を収めることができる。
【００２５】
また、爪部３３全体の厚みが１．５ｍｍあるのではなく、爪部３３の突出方向に沿って設けられた膨出部３６により１．５ｍｍを確保しているので、材料を節約することができるだけでなく、タイル剥落防止具１を回転させる際に１．５ｍｍ以下の細い爪部３３の側縁からスリット空間６４に挿入され、その後、膨出部３６をスリット空間６４に挿入させることになるので、挿入作業をより容易にすることができる。
【００２６】
また、外装タイル２の一方の鍔部６３の先端から他方の鍔部６３の先端までの距離ｃは３０ｍｍであるので、タイル剥落防止具１の一方の脚部３１の先端から他方の脚部３１の先端までの距離もほぼ３０ｍｍになるように折曲部３２が弾性変形されている。すなわち、タイル剥落防止具１の脚部３１は互いに離反する方向に付勢された状態で外装タイル２に係止されている。したがって、爪部３３もスリット空間６４の奥に向かって付勢された状態で保持されているので、爪部３３がこのスリット空間６４から脱落する虞もなく、確実に外装タイル２にタイル剥落防止具１を係止することができる。
【００２７】
以上のようにしてタイル剥落防止具１を外装タイル２に係止した後、コンクリートを打設して外壁を形成する。例えばプレキャストで外壁を形成する場合には、図８に示すように、図示しない型枠を組み立てて、その型枠の図示しない底面に目地材７を挟んで外装タイル２を敷き詰める。タイル剥落防止具１は型枠内に外装タイル２を敷き詰めた後に外装タイル２に係止してもよく、また、型枠に敷き詰める前の外装タイル２に係止してもよい。タイル剥落防止具１を係止した外装タイル２を型枠の底に敷き詰めた後、四角い格子状に溶接した鉄筋組５を上から載置する。
【００２８】
図９に示すように、鉄筋５を載置するときに格子状の鉄筋組５のうちの何本かがタイル剥落防止具１の折曲部３２に載置されることになり、折曲部３２の中央で窪んで形成されている窪み部３５には特に安定して鉄筋５が載置される。このときタイル剥落防止具１の脚部３１の先端から窪み部３５までの屋内方向への距離ｆは３０ｍｍであるので、少なくとも鉄筋５から外装タイル２の係止溝６の底面６１までのかぶり厚を３０ｍｍ確保することができる。
【００２９】
そして、屋内側にも所定距離を開けて鉄筋５を配置した後、コンクリートを打設して養生した後、型枠から取り外して、図１０に示すように、プレキャストコンクリートの外壁３を完成させる。このようにタイル剥落防止具１の折曲部３２及び両脚部３１の間にもコンクリートが充分に充填されるので、タイル剥落防止具１の変形の虞もなく、外装タイル２の剥落を極めて効果的に抑制することができる。そして形成したプレキャストコンクリートの外壁３は、図１１に示すように、外装タイル側が屋外側となるように建築物に固定される。
【００３０】
以上のように本実施形態のタイル剥落防止具１は、底面６１から略直角に立ち上がった側壁６２の両側の縁に鍔部６３がそれぞれ形成された係止溝６が裏面に形成された外装タイル２に係止されて、躯体コンクリート４に埋設されて当該躯体コンクリート４に外装タイル２を固着するタイル剥落防止具１であって、弾性体により形成された折曲部３５と、該折曲部３５の両端からそれぞれ延びる一対の脚部３１と、該脚部３１の先端に互いに離反する方向に突出して形成され、前記外装タイル２の裏足に係止される爪部３３と、を備えている。そして、前記爪部３３はその突出方向に沿って前記折曲部３５側に膨らんだ膨出部３６が形成され、当該膨出部３６の最も膨らんだ位置から前記爪部３３の前記膨出部３６と反対側の面までの距離が前記外装タイル２の係止溝６の底面６１から鍔部６３までの距離と略等しい。したがって、タイル剥落防止具１の脚部３１を爪部３３側から外装タイル２の係止溝６に挿入して、爪部３３を係止溝６の鍔部６３と底面６１との間に挿入したときに、爪部３３の膨出部３６が鍔部６３に当接し、爪部３３の膨出部３６と反対側の面は底面６１に当接して固定されるので、タイル剥落防止具１が係止溝６にガタつきなく係止することができ、コンクリートを打設したときに、タイル剥落防止具１に対して外装タイル２から離反する方向に力が加わっても外装タイル２から外れることを防止できる。
【００３１】
なお、タイル剥落防止具１を用いた外壁３の製造方法としてプレキャスト工法を例示したが、現場打ち工法を用いて製造するコンクリート外壁３にも適用できる。
【００３２】
なお、本発明の実施の形態は上述の形態に限ることなく、本発明の思想の範囲を逸脱しない範囲で適宜変更することができることは云うまでもない。
【産業上の利用可能性】
【００３３】
本発明に係るタイル剥落防止具１は、コンクリート躯体に外装タイルを固着させる建築物において、外装タイルの剥落を防止するタイル剥落防止具１として好適に用いることができる。
【符号の説明】
【００３４】
１      タイル剥落防止具
２      外装タイル
４      躯体コンクリート
５      鉄筋
６      係止溝
３１    脚部
３２    折曲部
３３    爪部
３３ａ  アール
３４    リブ
３５    窪み部
３６    膨出部
６１    底面
６２    側壁
６３    鍔部
６４    スリット空間
【図１】
0005801654.tif 000002
【図２】
0005801654.tif 000003
【図３】
0005801654.tif 000004
【図４】
0005801654.tif 000005
【図５】
0005801654.tif 000006
【図６】
0005801654.tif 000007
【図７】
0005801654.tif 000008
【図８】
0005801654.tif 000009
【図９】
0005801654.tif 000010
【図１０】
0005801654.tif 000011
【図１１】
0005801654.tif 000012
【図１２】
0005801654.tif 000013